(57)【要約】【課題】広帯域パイロット信号用ホッピング構造を提供する。【解決手段】無線通信ネットワークに広帯域パイロット信号を送信するためにホッピング・パターンを定義し利用することを容易にするシステムと方法論が説明される。帯域幅の一部は広帯域パイロット・データを送信することに専用とすることができ、パターンは専用帯域幅全体を有効に利用するために与えられた時間周期のあいだ周波数にわたってホッピングするために利用することができる。さらに、データを送信するための周期性は、追加のスケジューリング（たとえば高活動性装置）を必要とする装置が広帯域パイロット・データをより頻繁に送信することを可能にするように構成可能である。ホッピング・パターンはまた、広帯域パイロット信号を送信するための最適の多様性を提供するために、パターンの循環桁送りにわたってホップすることができる。
2010518755.tif 000002
【特許請求の範囲】
【請求項１】
無線通信ネットワークに広帯域パイロット信号ホッピング・パターンを定義するための方法であって、
広帯域パイロット・データを送信するための利用可能帯域幅の一部を確保することと、
装置のための構成周期性にしたがって帯域幅の前記確保一部の一つ以上の周波数リソース・ブロックにわたってホップすることを特定する前記装置のための広帯域パイロット信号ホッピング・パターンを生成することと、
前記装置に前記ホッピング・パターンを割振ることとを備えている方法。
【請求項２】
前記装置に割振られた前記ホッピング・パターンにしたがって前記装置から広帯域パイロット信号を受信することをさらに備えている請求項１の方法。
【請求項３】
前記受信広帯域パイロット信号に少なくとも部分的に基づいて前記装置のための通信リソースをスケジュールすることをさらに備えている請求項２の方法。
【請求項４】
前記受信広帯域パイロット信号に少なくとも部分的に基づいて前記装置への伝送のための電力コントロール信号を生成することをさらに備えている請求項２の方法。
【請求項５】
前記広帯域パイロット信号ホッピング・パターンは、前記装置のために構成された前記周期性にしたがって帯域幅の前記確保一部の前記周波数リソース・ブロックのすべてに実質的にわたってホップすることを特定する請求項１の方法。
【請求項６】
前記広帯域パイロット信号ホッピング・パターンは、前記周波数リソース・ブロックのすべてに実質的にわたって連続してホップすることを特定する請求項５の方法。
【請求項７】
前記広帯域パイロット信号ホッピング・パターンは、前記ホッピング・パターンの循環桁送りにわたってホップすることを特定する請求項５の方法。
【請求項８】
前記広帯域パイロット信号ホッピング・パターンは、以前に生成されたホッピング・パターンに少なくとも部分的に基づいて生成される請求項１の方法。
【請求項９】
前記ホッピング・パターンは、異種の基地局によって割振られたホッピング・パターンから変化する請求項１の方法。
【請求項１０】
無線通信装置であって、
広帯域パイロット信号を送信するために確保された帯域幅の一部の複数の周波数リソース・ブロックにわたって時間でホップする装置に広帯域パイロット信号ホッピング・パターンを割振るように構成されている少なくとも一つのプロセッサと、
前記少なくとも一つのプロセッサに連結されたメモリとを備えている無線通信装置。
【請求項１１】
前記少なくとも一つのプロセッサは、前記広帯域パイロット信号ホッピング・パターンにしたがって前記装置によって送られた広帯域パイロット信号を復号するようにさらに構成されている請求項１０の無線通信装置。
【請求項１２】
前記少なくとも一つのプロセッサは、前記広帯域パイロット信号に少なくとも部分的に基づいて前記装置に割当てられたリソースまたは前記装置に送られた電力信号を調節するようにさらに構成されている請求項１１の無線通信装置。
【請求項１３】
前記広帯域パイロット信号ホッピング・パターンは、前記周波数リソース・ブロックにわたって繰り返し連続してホップすることを特定する請求項１０の無線通信装置。
【請求項１４】
前記広帯域パイロット信号ホッピング・パターンは、前記広帯域パイロット信号ホッピング・パターンの循環桁送りにわたって繰り返しホップすることを特定する請求項１０の無線通信装置。
【請求項１５】
前記広帯域パイロット信号ホッピング・パターンは、干渉を最小にするために以前に生成された広帯域パイロット信号ホッピング・パターンに基づいて作り出される請求項１０の無線通信装置。
【請求項１６】
前記帯域幅は、広帯域パイロット信号に専用の複数のタイム・スロット内に記号を有する一つ以上のＯＦＤＭ記号に分離され、前記広帯域パイロット信号ホッピング・パターンは、各タイム・スロット内の前記記号の周波数リソース・ブロックにわたってホップする請求項１０の無線通信装置。
【請求項１７】
広帯域パイロット信号伝送用ホッピング・パターンを作り出す無線通信装置であって、
広帯域パイロット信号を通信することに専用の帯域幅の一部を決定するための手段と、
時の経過とともに前記帯域幅の一部の異種の周波数リソース・ブロックにホップすることを特定する広帯域パイロット信号ホッピング・パターンを生成するための手段と、
装置の活動性レベルに少なくとも部分的に基づいて前記装置に前記広帯域パイロット信号ホッピング・パターンを割振るための手段とを備えている無線通信装置。
【請求項１８】
前記広帯域パイロット信号ホッピング・パターンにしたがって受信された一つ以上の広帯域パイロット信号に基づいて前記装置に送信する電力コントロール信号を定義するための手段をさらに備えている請求項１７の無線通信装置。
【請求項１９】
前記広帯域パイロット信号ホッピング・パターンにしたがって受信された一つ以上の広帯域パイロット信号に基づいて前記装置にリソースをスケジュールするための手段をさらに備えている請求項１７の無線通信装置。
【請求項２０】
前記広帯域パイロット信号ホッピング・パターンは、前記周波数リソース・ブロックにわたって連続して繰り返しホップすることを特定する請求項１７の無線通信装置。
【請求項２１】
前記装置の前記活動性レベルに少なくとも部分的に基づいて前記装置のための周期性を構成するための手段をさらに備えており、前記ホッピング・パターンは前記周期性に従って前記広帯域パイロット信号を送信することを特定する請求項１７の無線通信装置。
【請求項２２】
前記広帯域パイロット信号ホッピング・パターンは前記広帯域パイロット信号ホッピング・パターンの循環桁送りにわたって繰り返しホップすることを特定する請求項１７の無線通信装置。
【請求項２３】
コンピュータープログラム製品であって、
少なくとも一つのコンピュータに、広帯域パイロット・データを送信するための利用可能帯域幅の一部を確保させるためのコードと、
前記少なくとも一つのコンピュータに、装置のための構成周期性による帯域幅の前記確保一部の一つ以上の周波数リソース・ブロックにわたってホップすることを特定する装置のための広帯域パイロット信号ホッピング・パターンを生成させるためのコードと、
前記少なくとも一つのコンピュータに、前記装置に前記ホッピング・パターンを割振らせるためのコードとを備えているコンピュータリーダブル媒体を備えているコンピュータープログラム製品。
【請求項２４】
前記広帯域パイロット信号ホッピング・パターンは、前記ホッピング・パターンの循環桁送りにわたってホップすることを特定する請求項２３のコンピュータープログラム製品。
【請求項２５】
無線通信装置であって、
広帯域パイロット信号を通信することに専用の帯域幅の一部を決定し、
時の経過とともに前記帯域幅の一部の異種の周波数リソース・ブロックへホップすることを特定する広帯域パイロット信号ホッピング・パターンを生成し、
装置の活動性レベルに少なくとも部分的に基づいて前記装置に広帯域パイロット信号ホッピング・パターンを割振るように構成されたプロセッサと、
プロセッサに連結されたメモリとを備えている無線通信装置。
【請求項２６】
広帯域パイロット信号を通信するための方法であって、
広帯域パイロット信号のために確保された帯域幅の一部の第一の周波数リソース・ブロックに広帯域パイロット・データを送信することと、
広帯域パイロット信号ホッピング・パターンにしたがって帯域幅の異種の一部中の広帯域パイロット信号のために確保された帯域幅の一部の第二の周波数リソース・ブロックにホップすることと、
前記第二の周波数リソース・ブロック中の広帯域パイロット・データを送信することとを備えている方法。
【請求項２７】
基地局から前記広帯域パイロット・データ・ホッピング・パターンを受信することをさらに備えており、前記広帯域パイロット・データ・ホッピング・パターンは、異種の基地局から以前に受信されたホッピング・パターンと異なる請求項２６の方法。
【請求項２８】
前記第二の周波数リソース・ブロックは前記第一の周波数リソース・ブロックに隣接している請求項２６の方法。
【請求項２９】
前記広帯域パイロット・データ・ホッピング・パターンにしたがって時の経過とともに前記帯域幅の一部中の追加の周波数リソース・ブロックにホップすることをさらに備えている請求項２６の方法。
【請求項３０】
いったん前記周波数リソース・ブロックのすべが実質的にポップされたならば、前記広帯域パイロット・データ・ホッピング・パターンの循環桁送りにホップすることをさらに備えている請求項２９の方法。
【請求項３１】
前記送信広帯域パイロット・データに少なくとも部分的に基づいて電力コントロール信号を受信することをさらに備えていている請求項２６の方法。
【請求項３２】
無線通信装置であって、
広帯域パイロット信号を送信するために確保された帯域幅の一部にわたって広帯域パイロット信号を送信するために時の経過とともに複数の周波数リソース・ブロック間でホップするように構成された少なくとも一つのプロセッサと、
前記少なくとも一つのプロセッサに連結されたメモリとを備えている無線通信装置。
【請求項３３】
前記少なくとも一つのプロセッサは、受信ホッピング・パターンにしたがって周波数リソース・ブロック間でホップするようにさらに構成された請求項３２の無線通信装置。
【請求項３４】
前記ホッピング・パターンは、パターンの複数の循環桁送りにわたってホップすることを特定する請求項３３の無線通信装置。
【請求項３５】
前記ホッピング・パターンは、前記無線通信装置の活動性レベルに少なくとも部分的に基づいた周期性を有する請求項３３の無線通信装置。
【請求項３６】
前記プロセッサは、前記広帯域パイロット信号に基づいて受信された電力コントロール信号に少なくとも部分的に基づいて次の伝送のための電力を調節するようにさらに構成された請求項３２の無線通信装置。
【請求項３７】
広帯域パイロット信号を送信するための無線通信装置であって、
広帯域パイロット信号ホッピング・パターンを受信するための手段と、
広帯域パイロット信号を生成するための手段と、
前記受信広帯域パイロット信号ホッピング・パターンにしたがって時の経過とともに前記広帯域パイロット信号を送信するための手段とを備えている無線通信装置。
【請求項３８】
前記広帯域パイロット信号ホッピング・パターンは、広帯域パイロット信号のために確保された帯域幅の一部のすべての周波数リソース・ブロックに実質的にわたってホップすることを特定する請求項３７の無線通信装置。
【請求項３９】
前記広帯域パイロット信号ホッピング・パターンは、前記周波数リソース・ブロックのすべてに実質的にわたって連続してホップすることを特定する請求項３８の無線通信装置。
【請求項４０】
前記広帯域パイロット信号ホッピング・パターンは、前記広帯域パイロット信号ホッピング・パターンの循環桁送りにわたってホップすることを特定する請求項３７の無線通信装置。
【請求項４１】
前記広帯域パイロット信号ホッピング・パターンは、前記無線通信装置の活動性レベルにしたがった周期性を有する請求項３７の無線通信装置。
【請求項４２】
前記広帯域パイロット信号に応じて受信された電力コントロール信号に少なくとも部分的に基づいて次の伝送のための電力をコントロールするための手段をさらに備えている請求項３７の無線通信装置。
【請求項４３】
コンピュータープログラム製品であって、
少なくとも一つのコンピュータに、広帯域パイロット信号のために確保された帯域幅の一部の第一の周波数リソース・ブロック中の広帯域パイロット・データを送信させるためのコードと、
前記少なくとも一つのコンピュータに、広帯域パイロット信号ホッピング・パターンにしたがって帯域幅の異種の一部中の広帯域パイロット信号のために確保された帯域幅の一部の第二の周波数リソース・ブロックにホップさせるためのコードと、
前記少なくとも一つのコンピュータに、前記第二の周波数リソース・ブロック中の広帯域パイロット・データを送信させるためのコードとを備えているコンピュータリーダブル媒体を備えているコンピュータープログラム製品。
【請求項４４】
前記少なくとも一つのコンピュータに、前記広帯域パイロット・データ・ホッピング・パターンにしたがって時の経過とともに前記帯域幅の一部中の追加の周波数リソース・ブロックにホップさせるためのコードをさらに備えている請求項４５のコンピュータープログラム製品。
【請求項４５】
無線通信装置であって、
広帯域パイロット信号ホッピング・パターンを受信し、
広帯域パイロット信号を生成し、
受信広帯域パイロット信号ホッピング・パターンにしたがって時の経過とともに広帯域パイロット信号を送信するように構成されたプロセッサと、
プロセッサに連結されたメモリとを備えている無線通信装置。
【発明の詳細な説明】
【技術分野】
【０００１】
関連出願への相互参照
この出願は、「アップリンクチャネル音声化および電力コントロールのための方法および装置（A METHOD AND APPARATUS FOR UPLINK CHANNEL SOUNDING AND POWER CONTROL）」と題する２００７年２月６日に提出された米国仮特許出願第６０／８８８，４６０号の利益を請求する。前述の出願の全体は、参照によってここに組み込まれる。
【０００２】
背景
Ｉ．分野
続く説明は、一般に無線通信に、特に広帯域パイロット・チャネルのための周波数、タイム・スロットおよび循環桁送りホッピングに関連する。
【背景技術】
【０００３】
ＩＩ．背景
無線通信システムは、たとえば音声、データその他などのさまざまなタイプの通信コンテントを提供するために広く展開されている。典型的な無線通信システムは、利用可能システムリソース（たとえば帯域幅、送信電力、…）を共有することにより多数のユーザーとの通信を支持することの可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同様物を含み得る。そのうえに、システムは、第三世代パートナーシップ・プロジェクト（３ＧＰＰ）、３ＧＰＰロング・ターム・エボルーション（ＬＴＥ）その他などの仕様に従うことができる。
【０００４】
一般に、無線多元接続通信システムは、同時に多数の移動体装置のための通信を支持し得る。各移動体装置は、順方向および逆方向リンク上の伝送を介して一つ以上の基地局と通信し得る。順方向リンク（またはダウンリンク）は基地局から移動体装置への通信リンクを指し、逆方向リンク（またはアップリンク）は移動体装置から基地局への通信リンクを指す。さらに、移動体装置と基地局の間の通信は、単入力単出力（ＳＩＳＯ）システム、多入力単出力（ＭＩＳＯ）システム、多入力多出力（ＭＩＭＯ）システムなどを介して確立され得る。加えて、移動体装置は、ピア・ツー・ピア無線ネットワーク構成中で他の移動体装置（および／または他の基地局を備えた基地局）と通信することができる。
【０００５】
ＭＩＭＯシステムは、データ伝送のために多重（ＮＴ）送信アンテナと多重（ＮＲ）受信アンテナを共通に使用する。アンテナは、基地局と移動体装置の両方に関連することができ、一例では、無線ネットワーク上の装置間の双方向通信を許可する。信号データを近くに送信する多くの装置では、リソース割当てと電力コントロールは、通信において十分な信号雑音比とデータ率を保証するために装置にとって重要である。したがって、広帯域パイロット信号は、次の伝送に追加のリソースを割当てるおよび／または追加の電力を要求ために利用され得る伝送の信号品質の測定を許可する装置によって送られ得る。
【発明の概要】
【０００６】
概要
以下は、一つ以上の実施形態の単純化された概要を、そのような実施形態の基礎的理解を提供するために示す。この概要は、すべての意図された実施形態の広範囲な概観でなく、すべての実施形態の鍵または重大要素を識別するようにも、任意のまたはすべての実施形態の要旨を描写するようにも意図されてはいない。その唯一の目的は、後に示すより詳細な説明の前置きとして一つ以上の実施形態のいくつかの概念を単純化した形で示すことである。
【０００７】
一つ以上の実施形態およびそれらの対応する開示によると、さまざまなアスペクトが、広帯域パイロット信号を送信するためにホッピング・パターンを生成し利用することを容易にすることに関して説明される。ホッピング・パターンを利用する際、広帯域パイロット信号を送信することに専用の帯域幅の全部分が、時の経過とともに帯域幅内のホッピングによって利用され得る。さらに、ホッピング・パターンは異なる周期性のものになることができ、高いスケジューリング要求を有する装置は、頻繁に（たとえばすべての機会に）広帯域パイロット・データを送信することを提供するパターンを割振られ得る一方、より低いスケジューリング要求またはより低い活動性レベルを有する装置は、必ずしも各利用可能間隔に送信しないパターンを割振られ得る。
【０００８】
関連づけられたアスペクトによれば、無線通信ネットワークにおける広帯域パイロット信号ホッピング・パターンを定義する方法が提供される。方法は、広帯域パイロット・データを送信するための利用可能帯域幅の一部を確保することと、装置のための構成周期性にしたがって帯域幅の前記確保一部の一つ以上の周波数リソース・ブロックにわたってホップすることを特定する装置のための広帯域パイロット信号ホッピング・パターンを生成することとを備えることができる。方法はまた、装置にホッピング・パターンを割振ることを含む。
【０００９】
別のアスペクトは無線通信装置に関連する。無線通信装置は、広帯域パイロット信号を送信するために確保された帯域幅の一部の複数の周波数リソース・ブロックにわたって時間でホップする装置に広帯域パイロット信号ホッピング・パターンを割振るように構成された少なくとも一つのプロセッサを含むことができる。前記無線通信装置はまた、前記少なくとも一つのプロセッサに連結されたメモリを含むことができる。
【００１０】
また別のアスペクトは、広帯域パイロット信号伝送用ホッピング・パターンを作り出す無線通信装置に関連する。無線通信装置は、広帯域パイロット信号を通信することに専用の帯域幅の一部を決定するための手段と、時の経過とともに帯域幅の一部の異種の周波数リソース・ブロックへホップすることを特定する広帯域パイロット信号ホッピング・パターンを生成するための手段とを含むことができる。無線通信装置は、装置の活動性レベルに少なくとも部分的に基づいて装置に広帯域パイロット信号ホッピング・パターンを割振るための手段をさらに含むことができる。
【００１１】
また別のアスペクトは、コンピュータープログラム製品に関連する。それは、少なくとも一つのコンピュータに広帯域パイロット・データを送信するために利用可能帯域幅の一部を確保させるためのコードを有するコンピュータリーダブル媒体を含むことができる。コンピュータリーダブル媒体は、少なくとも一つのコンピュータに、装置のための構成周期性にしたがって帯域幅の前記確保一部の一つ以上の周波数リソース・ブロックにわたってホップすることを特定する装置のための広帯域パイロット信号ホッピング・パターンを生成させるためのコードをさらに備えることができる。さらに、コンピュータリーダブル媒体は、少なくとも一つのコンピュータに、装置にホッピング・パターンを割振らせるためにコードを含むことができる。
【００１２】
別のアスペクトによると、無線通信システム中の装置は、通信する広帯域パイロット信号に専用の帯域幅の一部を決定するように構成されたプロセッサを含むことができる。プロセッサは、時の経過とともに帯域幅の一部の異種の周波数リソース・ブロックへホップすることを特定する広帯域パイロット信号ホッピング・パターンを生成し、装置の活動性レベルに少なくとも部分的に基づいて装置に広帯域パイロット信号ホッピング・パターンを割振るようにさらに構成され得る。また、前記装置は、前記プロセッサに連結されたメモリを含むことができる。
【００１３】
さらなるアスペクトによれば、通信する広帯域パイロット信号のための方法が提供される。方法は、広帯域パイロット信号のために確保された帯域幅の一部の第一の周波数リソース・ブロック中の広帯域パイロット・データを送信することを備えることができる。さらに、方法は、広帯域パイロット信号ホッピング・パターンにしたがって帯域幅の異種の一部中の広帯域パイロット信号のために確保された帯域幅の一部の第二の周波数リソース・ブロックへホップすることと、第二の周波数リソース・ブロック中の広帯域パイロット・データを送信することとを含むことができる。
【００１４】
別のアスペクトは無線通信装置に関連する。前記無線通信装置は、広帯域パイロット信号を送信するために確保された帯域幅の一部上に広帯域パイロット信号を送信するために時の経過とともに複数の周波数リソース・ブロック間でホップするように構成された少なくとも一つのプロセッサを含むことができる。前記無線通信装置はまた、前記少なくとも一つのプロセッサに連結されたメモリを含むことができる。
【００１５】
また別のアスペクトは、広帯域パイロット信号を送信するための無線通信装置に関連する。前記無線通信装置は、広帯域パイロット信号ホッピング・パターンを受信するための手段と、広帯域パイロット信号を生成するための手段と、受信広帯域パイロット信号ホッピング・パターンにしたがって時の経過とともに広帯域パイロット信号を送信するための手段とを備えることができる。
【００１６】
また別のアスペクトは、コンピュータープログラム製品に関連する。それは、少なくとも一つのコンピュータに、広帯域パイロット信号のために確保された帯域幅の一部の第一の周波数リソース・ブロック中に広帯域パイロット・データを送信させるためのコードを有するコンピュータリーダブル媒体を含むことができる。コンピュータリーダブル媒体はまた、少なくとも一つのコンピュータに、広帯域パイロット信号ホッピング・パターンに従って帯域幅の異種の一部中の広帯域パイロット信号のために確保された帯域幅の一部の第二の周波数リソース・ブロックへホップさせるためのコードを含むことができる。さらに、コンピュータリーダブル媒体は、少なくとも一つのコンピュータに、第二の周波数リソース・ブロック中の広帯域パイロット・データを送信させるためにコードを備えることができる。
【００１７】
別のアスペクトによると、装置は広帯域パイロット信号ホッピング・パターンを受信し、広帯域パイロット信号を生成し、受信広帯域パイロット信号ホッピング・パターンにしたがって時の経過とともに広帯域パイロット信号を送信するように構成されたプロセッサを含む無線通信システムの中で提供することができる。そのうえに、前記装置は、前記プロセッサに連結されたメモリを備えることができる。
【００１８】
前述の関連づけられた目的の達成のために、一つ以上の実施形態は、特許請求の範囲において後に説明され特に指摘される特徴を完全に備える。続く説明と添付図面は、一つ以上の実施形態のある例証的アスペクトを詳細に述べる。しかしながら、これらのアスペクトは、さまざまな実施形態の原理が使用され得るさまざまな方法をわずかに示すものであり、説明される実施形態は、そのようなアスペクトおよびそれらの等価物をすべて含むように意図されている。
【図面の簡単な説明】
【００１９】
図面の簡単な説明
【図１】図１は、ここに述べられるさまざまなアスペクトにしたがう無線通信システムの図である。
【図２】図２は、無線通信環境内での使用のための例示通信装置の図である。
【図３】図３は、広帯域パイロット信号伝送用ホッピング・パターンを生成する例示無線通信システムの図である。
【図４】図４は、広帯域パイロット信号を送信するための確保部分を有する例示帯域幅の図である。
【図５】図５は、広帯域パイロット信号を送信するためのホッピング・パターンを生成することを容易にする例示方法論の図である。
【図６】図６は、ホッピング・パターンを利用して広帯域パイロット信号を送信する例示方法論の図である。
【図７】図７は、ホッピング・パターンにしたがって広帯域パイロット・データを送信することを容易にする例示移動体装置の図である。
【図８】図８は、広帯域パイロット信号用ホッピング・パターンを作り出し割振ることを容易にする例示システムの図である。
【図９】図９は、ここに説明されたさまざまなシステムと方法と関連して使用することができる例示無線ネットワーク環境の図である。
【図１０】図１０は、広帯域パイロット信号ホッピング・パターンを生成し割振る例示システムの図である。
【図１１】図１１は、広帯域パイロット信号を送信する例示システムの図である。
【発明を実施するための形態】
【００２０】
詳細な説明
さまざまな実施形態がいま図面と関連して説明され、そこでは、同様の要素を言及するために同様の参照符号が終始使用される。続く説明では、説明の目的のために、一つ以上の実施形態についての完全な理解を提供するために多数の特定の詳細が説明される。明白かもしれないが、そのような実施形態はこれらの特定の詳細なしで実行され得る。他の例では、一つ以上の実施形態を説明することを容易にするために周知の構造および装置がブロック図の形で示される。
【００２１】
この出願で使用されるように、用語「コンポーネント」、「モジュール」、「システム」および同様物は、コンピュータ関連実在物、つまりハードウェア、ファームウェア、ハードウェアとソフトウェアの組み合わせ、ソフトウェア、または実行中のソフトウェアのいずれか、を指すように意図されている。たとえば、コンポーネントは、これに限定されないが、プロセッサ上で走るプロセス、プロセッサ、オブジェクト、実行可能、実行のスレッド、プログラム、および／または、コンピュータとすることができる。例証として、コンピューティング装置上で走るアプリケーションとコンピューティング装置の両方は一つのコンポーネントとすることができる。一つ以上のコンポーネントはプロセスおよび／または実行のスレッドの中に存在することができ、コンポーネントは一つのコンピュータに集中および／または二つ以上のコンピュータ間に分配され得る。さらに、これらのコンポーネントは、各種データ構造が記憶されたさまざまなコンピュータリーダブル媒体から実行することができる。コンポーネントは、一つ以上のデータ・パケット（たとえば、ローカルシステム、分散されたシステム中の、および／または信号経由で他のシステムを備えたインターネットなどのネットワークを超えた別のコンポーネントと相互作用する一つのコンポーネントからのデータ）を有する信号によるなどのローカルおよび／または遠隔プロセス経由で通信することができる。
【００２２】
さらに、さまざまな実施形態が移動体装置に関連してここに説明される。移動体装置はまた、システム、加入者ユニット、加入者局、移動局、移動体、遠隔局、遠隔端末、接続端末、ユーザー端末、端末、無線通信装置、ユーザーエージェント、ユーザー装置またはユーザー機器（ＵＥ）と呼ぶことができる。移動体装置は、携帯電話、コードレス電話、セッション設定プロトコル（ＳＩＰ）電話、無線ローカルループ（ＷＬＬ）局、携帯情報端末（ＰＤＡ）、無線接続能力を有するハンドヘルド装置、コンピューティング装置または無線モデムに連結された他の制御演算装置とすることができる。さらに、さまざまな実施形態が基地局に関連してここに説明される。基地局は移動体装置と通信するために利用され得、接続ポイント、ノードＢまたはいくつかの他の用語で呼ぶことができる。
【００２３】
さらに、ここに説明されるさまざまなアスペクトまたは特徴は、規格プログラミングおよび／またはエンジニアリング技術を使用する方法、装置または製品として提供され得る。ここに使用される用語「製品」は、任意のコンピュータリーダブル装置、搬送波または媒体からアクセス可能なコンピュータープログラムを包含するように意図されている。たとえば、コンピュータリーダブル媒体は、これに限定されないが、磁気記憶装置（たとえばハードディスク、フロッピー（登録商標）ディスク、磁気ストリップ、その他）、光ディスク（たとえばコンパクトディスク（ＣＤ）、ディジタル多用途ディスク（ＤＶＤ）、その他）、スマートカードおよびフラッシュメモリ装置（たとえばＥＰＲＯＭ、カード、スティック、キードライブ、その他）を含むことができる。そのうえに、ここに説明されるさまざまな記憶媒体は、情報を記憶するための一つ以上の装置および／または他の機械リーダブル媒体を代表することができる。用語「機械リーダブル媒体」は、限定されることなく、命令および／またはデータを記憶、包含および／または運搬することの可能な無線チャネルおよびさまざまな他の媒体を含むことができる。
【００２４】
図１をいま参照すると、ここに示されるさまざまな実施形態による無線通信システム１００が示される。システム１００は、多重アンテナグループを含むことができる基地局１０２を備える。たとえば、一つのアンテナグループはアンテナ１０４と１０６を含むことができ、別のグループはアンテナ１０８と１１０を備えることができ、追加のグループはアンテナ１１２と１１４を含むことができる。各アンテナグループについて二つのアンテナが示される。しかしながら、各グループについてより多いまたはより少ないアンテナが利用され得る。この技術分野の熟練者に認められるように、基地局１０２は付加的に送信機チェーンおよび受信機チェーンを含むことができ、それらのおのおのは今度は、信号送受信と関係づけられた複数のコンポーネント（たとえばプロセッサ、変調器、多重化装置、復調器、多重分離化装置、アンテナ、その他）を備えることができる。
【００２５】
基地局１０２は、移動体装置１１６と移動体装置１２２などの一つ以上の移動体装置で通信することができる。しかしながら、基地局１０２は移動体装置１１６と１２２に類似のたくさんの移動体装置と実質的に通信することができることが認められる。移動体装置１１６と１２２は、たとえば、携帯電話、スマートフォン、ラップトップ、ハンドヘルド通信装置、ハンドヘルド・コンピューティング装置、衛星ラジオ、全地球測位システム、ＰＤＡ、および／または無線通信システム１００上で通信するための任意の他の適切な装置とすることができる。描写されるように、移動体装置１１６はアンテナ１１２と１１４と通信状態にあり、アンテナ１１２と１１４が順方向リンク１１８で移動体装置１１６に情報を送信し、逆方向リンク１２０で移動体装置１１６から情報を受信する。さらに、移動体装置１２２はアンテナ１０４と１０６と通信状態にあり、アンテナ１０４と１０６は順方向リンク１２４で移動体装置１２２に情報を送信し、逆方向リンク１２６で移動体装置１２２から情報を受信する。周波数分割複式（ＦＤＤ）システムでは、たとえば、順方向リンク１１８は、逆方向リンク１２０によって使用されるそれとは異なる周波数帯を利用することができ、順方向リンク１２４は、逆方向リンク１２６によって使用されるそれとは異なる周波数帯を使用することができる。さらに、時分割複式（ＴＤＤ）システムでは、順方向リンク１１８と逆方向リンク１２０は共通の周波数帯を利用することができ、順方向リンク１２４と逆方向リンク１２６は共通の周波数帯を利用することができる。
【００２６】
アンテナの各グループおよび／またはそれらが通信するために選定された領域は、基地局１０２のセクターと呼ばれ得る。たとえば、アンテナグループは基地局１０２によってカバーされる領域のセクター内の移動体装置に通信するために設計され得る。順方向リンク１１８と１２４での通信では、基地局１０２の送信アンテナは、移動体装置１１６と１２２のための順方向リンク１１８と１２４のＳＮ比を改善するためにビーム形成を利用することができる。また、基地局１０２が、関係有効範囲にランダムに散在する移動体装置１１６と１２２に送信するためにビーム形成を利用する一方で、近隣セル内の移動体装置は、そのすべての移動体装置に単一のアンテナを介して送信する基地局と比較してより少ない干渉を受けることができる。さらに、移動体装置１１６と１２２は、描写されるようなピア・ツー・ピアまたは特別なテクノロジーを使用して互いに直接通信することができる。
【００２７】
一例によれば、システム１００は多入力多出力（ＭＩＭＯ）通信システムとすることができる。さらに、システム１００は、ＦＤＤ、ＴＤＤおよび同様物などの通信チャネル（たとえば順方向リンク、逆方向リンク、…）を分割するために任意のタイプのデュプレクシング技術を実質的に利用することができる。一例では、システム１００は、広帯域パイロット信号の送信のために帯域幅の一部を専用にすることができる。たとえば、一つ以上の移動体装置１１６および／または１２２は、一つ以上のホッピング・パターンにしたがって帯域幅の一部内のそれぞれの広帯域パイロット信号を送信することができ、それらは、時間、周波数、時間または周波数の循環桁送り、その他にわたってホップすることを含むことができる。この点では、ホッピング・パターンは、帯域幅の専用広帯域パイロット部分を有効に利用することができる。帯域幅の一部は高いデータ・スループットを促進するために比較的小さくすることができる。
【００２８】
一例では、時の経過とともに周波数を通信するためのＯＦＤＭ記号を使用する無線通信ネットワーク・コンフィギュレーション（一例では、第三世代パートナーシップ・プロジェクト（３ＧＰＰ）、３ＧＰＰロング・ターム・エボルーション（ＬＴＥ）および同様物など）は、広帯域パイロット信号を送信するために与えられた時間周期中に一つ以上のＯＦＤＭ記号に専用になることができる。一例では、専用記号は、各時間周期中に同様に配置された記号とすることができる。しかしながら、さらなる多様性を提供するためにも異種の位置の記号を選ぶことができることが認められる。広帯域パイロット信号ホッピング・パターンは、たとえば基地局１０２によって、移動体装置１１６と１２２に割振られ得、ホッピング・パターンは、一つ以上の時間周期にわたって広帯域パイロット情報を送信するために利用するＯＦＤＭ記号のスロットまたは周波数を特定することができる。ホッピング・パターンは、与えられた移動体装置１１６および／または１２２の活動性レベルに少なくとも部分的に基づくことができ、専用広帯域パイロットＯＦＤＭ記号に対して周波数にわたってホップすることを含むことができる。たとえば、高活動性移動体装置は、低電力移動体装置よりも、広帯域パイロット情報をより頻繁に送信することができ、したがって、より頻繁にホップすることができる。さらに、循環桁送りは、与えられたホッピング・パターンに関連して特定され得、循環桁送りもホップされ得る。また、ホッピング・パターンは、与えられた基地局１０２に特有とすることができる。
【００２９】
別の例では、広帯域パイロット信号中で送信された情報は、基地局１０２と通信状態それぞれの移動体装置１１６および／または１２２のための周波数選別スケジューリングを実行するために利用され得る。この点では、帯域幅の一部（たとえばＯＦＤＭ記号またはその一部）は、通信チャネルの希望の信号対雑音比（ＳＮＲ）および／または希望または最大のデータ率を達成するために広帯域パイロット情報に基づいて移動体装置１１６および／または１２２に割当てられ得る。さらに、広帯域パイロット情報は、基地局１０２から移動体装置１１６および／または１２２へ電力コントロール情報を送るために使用され得る。たとえば、広帯域パイロット中の受信情報および／または通信の強度、明瞭さまたは質に基づいて、基地局１０２は、たとえば、干渉を最小にしながらデータ・スループットを最大にするためにパワー・アップまたはパワー・ダウン・コマンドを送ることができる。基地局１０２と通信しているすべての移動体装置が、広帯域パイロット・データを送信するためのホッピング・パターンまたは周波数スロットをスケジュールまたは割振られる必要があるとは限らないことが認められる。一例では、移動体装置は、装置の活動性レベルまたは状態に基づいてスケジュールされ得る、またはできない。たとえば、装置が十分な活動的状態にある場合、広帯域パイロット・ホッピング・パターンは、その周波数選別スケジューリングを容易にするために装置に割振られ得る。しかしながら、十分な活動的状態にない装置（たとえばメディア・アクセス・コントロール（ＭＡＣ）アドレスを単に維持する程度に活動的な装置）は広帯域パイロット情報を送信する必要がなくてもよく、したがって、そのようなパイロット情報のためのホッピング・パターンは割り当てられる必要がなくてもよい。
【００３０】
図２に目を向けると、無線通信環境内での使用のための通信装置２００が例証されている。通信装置２００は、基地局またはそれの一部、移動体装置またはそれの一部、または実質的に無線通信環境で送信されたデータを受信する任意の通信装置とすることができる。複数の装置によって送信されたデータを受信することは、信号の干渉またはオーバーラップをもたらすことがある。したがって、通信装置２００は、最小の帯域幅を使用して複数の装置との通信をスケジュールする後述するコンポーネントを使用してそうすることができる。通信装置２００は、装置によって利用される広帯域パイロット周期性を構成することができる周期性構成器２０２と、装置のための広帯域パイロットのためのホッピング・パターンを決定することができるホッピング・パターン定義器２０４と、代表装置に結果的広帯域パイロット構成を割振ることができる広帯域パイロット割振器２０６とを含むことができる。
【００３１】
一例によれば、通信装置２００は、異種の装置の送信している存在を検波することができる。これは、たとえば、通信装置２００と通信する装置からの要求として、異種の装置によるパイロット信号放送、別の装置を備えた装置の通信の検波、別の通信装置からの通知、その他が起こることがある。周期性構成器２０２は、異種の装置の活動性状態またはレベルを決定することができ、それは通信装置２００との通信に対する装置のスケジューリング要求に関連することができる。高い伝送活動性を有する装置が低い伝送活動性を有するものよりも多くスケジュールすることを要求することができることが認められる。したがって、周期性構成器２０２は、装置のための広帯域パイロット伝送に対してより高い周期性を構成することができる。たとえば、非常に活動的な装置に対して、周期性構成器２０２は、広帯域パイロット・データを送信するために２００Ｈｚ周期性（たとえば２０ＭＨｚの帯域幅を超えるサウンディングに５ｍｓのサウンディング周期）を割振ることができ、これに対して、それほど活動的でない装置は、２５Ｈｚ周期性（たとえば２０ＭＨｚの帯域幅を超えるサウンディングに４０ｍｓのサウンディング周期）が割振られ得る。ホッピング・パターン定義器２０４は、装置のための広帯域パイロット・ホッピング・パターンを定義する際に周期性を利用することができる。
【００３２】
一例では、ホッピング・パターン定義器２０４は、ここに説明したように時間、周波数および／または時間／周波数の循環桁送りにわたってホップすることができる装置のための広帯域パイロット・ホッピング・パターンを生成することができる。広帯域パイロット・ホッピング・パターンは、たとえば、広帯域パイロット・チャネル上のオーバーラップまたは干渉を防止するために、異種の装置のために定義されたパターンに少なくとも部分的に基づくことができる。たとえば、ＯＦＤＭ構成において説明したように、与えられた時間周期の一つ以上のＯＦＤＭ記号は、他の通信がＯＦＤＭ記号で禁止され得るような広帯域パイロット伝送に専用になることができる。記号は、広帯域パイロット専用ＯＦＤＭ記号が各時間周期に存在することができるような多重記号の時間周期に分割され得る。この点では、広帯域パイロットは、異なるＯＦＤＭ記号へ時間にわたってホップすることができる。さらに、広帯域パイロットに専用のＯＦＤＭ記号内で、ホッピング・パターン定義器２０４は、ＯＦＤＭ記号の分割周波数スロット間の複数の装置のための広帯域パイロット・データをスケジュールにすることができ、したがって、コンフリクト／衝突を最小にすることができる。この目的のために、広帯域パイロットを送信している装置は、たとえば、広帯域パイロットに多様性を提供するために、与えられた時間周期中にまたはそれを超えてＯＦＤＭ記号の周波数スロットにわたってホップすることができる。そのうえに、ホッピング・パターン定義器２０４が装置によって利用され得る一つ以上のホッピング・パターンを定義するところで、ホッピング・パターンは、周期的に与えられたパターンを利用することができる与えられた装置のためにシフトされ得るが、ＯＦＤＭ記号の異種のスロットまたは周波数で開始することができる。ホッピング・パターン定義器２０４はまた、ここに説明したように、与えられた時間周期のための循環桁送りの間にホップするパターンを定義することができる。
【００３３】
装置のためのホッピング・パターンを決定する際、広帯域パイロット割振器２０６は、装置に広帯域パイロット・ホッピング・パターンを割振ることができる。しかしながら、これは、装置にホッピング・パターン情報を送ることを含むことができる。このように、ホッピング・パターンにしたがって装置からの広帯域パイロット信号を、装置は送ることができ、通信装置２００は受信することができる。ホッピング・パターンは、通信装置２００に特有とするこができ、各装置について変化することができる。述べたように、パターンは、与えられた装置の活動性レベルに基づくことができる。したがって、異なる装置は、活動性レベルに基づいた広帯域パイロット情報について異なるサウンディング周期を有することができる。したがって、通信装置２００は、現在のホッピング・パターンの評価し以下に説明するようにスループットおよび効率を最大にする装置のためのパターンを生成することにより、ホッピング・パターンを定義することができる。
【００３４】
いま図３を参照すると、広帯域パイロット信号を送信する際の次の使用のための広帯域パイロット信号ホッピング・パターンを生成することができる無線通信システム３００が例証されている。システム３００は、移動体装置３０４（および／またはたくさんの異種の移動体装置（図示せず））と通信する基地局３０２を含む。基地局３０２は、順方向リンクチャネルで移動体装置３０４に情報を送信することができる。さらに基地局３０２は、逆方向リンクチャネルで移動体装置３０４から情報を受信することができる。さらに、システム３００はＭＩＭＯシステムとすることができる。そのうえに、システム３００は、ＯＦＤＭＡ無線ネットワーク、３ＧＰＰ ＬＴＥ無線ネットワーク、その他で作動することができる。また、基地局３０２に図示され以下に説明されるコンポーネントと機能性は、一例では、移動体装置３０４に同様に示すことができ、逆もまた同様である。描写された構成は、説明の容易さのためのこれらのコンポーネントを除外している。
【００３５】
基地局３０２は、たとえば、活動性レベルまたはスケジューリング要求に基づいて装置のための広帯域パイロット・データを送信するための周期性を決定することができる周期性構成器３０６と、決定周期性に少なくとも部分的に基づいて装置のためのホッピング・パターンを生成することができるホッピング・パターン定義器３０８と、装置に広帯域パイロット・ホッピング・パターンを割振ることができる広帯域パイロット割振器３１０とを含む。そのうえに、基地局３０２は、受信広帯域パイロット信号に基づいて、移動体装置３０４などの装置に通信リソースを割当てることができる周波数選別スケジューラ３１２と、受信広帯域パイロット信号に基づいて装置へ電力コントロール信号を送信することができる電力コントロール搬送器３１４とを含むことができる。
【００３６】
移動体装置３０４は、受信広帯域パイロット信号ホッピング・パターンに基づいて送信する広帯域パイロット・データを定義することができる広帯域パイロット定義器３１６と、送信機３２０によって送信された信号のための電力をコントロールすることができると電力コントローラ３１８とを含む。一例では、移動体装置３０４は、それに送られた広帯域パイロット信号に少なくとも部分的に基づいて基地局３０２から電力コントロール信号を受信することができ、受信電力コントロール信号に基づいて次の伝送のための電力をコントロールするために電力コントローラ３１８を利用することができる。
【００３７】
一例によれば、基地局３０２は、たとえば、通信またはパイロットを受信すること、通信を傍受すること、移動体装置３０４の存在を示す別の装置からの通知を受信すること、その他によって、移動体装置３０４の存在を検波することができる。続いて、スケジューリング要求および／または移動体装置３０４の活動性レベルは識別され得、周期性構成器３０６は、広帯域パイロット・データを送信するために利用する周期性を決定するためにこの情報を利用することができる。ホッピング・パターン定義器３０８は、移動体装置３０４のための広帯域パイロット・データを送信する際に利用するために、周期性にしたがって、ホッピング・パターンを定義することができる。ホッピング・パターンは、ここに説明したように、時間、周波数、および／または周波数／時間の循環桁送りにわたってホップすることを含んで生成され得る。一例によれば、ホッピング・パターンは、コンフリクトおよび干渉を最小にするために異種の装置のために生成された他のホッピング・パターンに基づいて定義され得る。広帯域パイロット割振器３１０は、広帯域パイロット・データを送信する際にそれの利用のための装置にホッピング・パターンを割振り送信することができる。
【００３８】
ホッピング・パターンを受信している移動体装置３０４は、基地局３０２へ広帯域パイロット信号を送信するためにパターンを利用することができる。たとえば、広帯域パイロット定義器３１６は、基地局３０２がリソースをスケジュールするおよび／または移動体装置３０４へ電力コントロールコマンドを送信することを可能にするために広帯域パイロット・データを作り出すことができる。この点では、広帯域パイロット・データは、データビッツ、構造、コマンド、変数、その他など、この目的を達成する任意のデータを実質的に備えることができる。広帯域パイロット定義器３１６は、ホッピング・パターン中で特定された周波数および時間を超えて送信される広帯域パイロット・データをスケジュールすることができる。このように、基地局３０２は、いつ移動体装置３０４から広帯域パイロット・データを期待するべきかを知ることができる。広帯域パイロット・データを受信する際、基地局３０２は、移動体装置３０２に通信リソースを割当てるために周波数選別スケジューラ３１２を利用することができる。これは、たとえば、広帯域パイロット信号から決定される活動性レベルまたは他のデータに基づくことができる。そのうえに、電力コントロール搬送器３１４は、次の伝送に電力の増加または減少を要求するために移動体装置３０４へパワー・アップおよび／またはパワー・ダウン・コマンドを出すために利用され得る。これはたとえば、干渉を低減しながら信頼できる通信を保証することができる。そのようなコマンドを受信する際、電力コントローラ３１８は、送信機３２０による次の伝送のための電力を調節することができる。たとえば、これは、電力コントロール指令、その他にしたがって電力レベルを設定することおよび／または電流レベルを調節することを含むことができる。
【００３９】
今、図４を参照すると、帯域幅の見本部が、周波数にまたがっている複数のタイム・スロットとして表わされて示される。一例では、これは、（たとえば３ＧＰＰまたは３ＧＰＰ ＬＴＥ構成中などの）複数のＯＦＤＭ記号４０２と４０４とすることができる。以前に説明したように、帯域幅の一部は、広帯域パイロット・データを送信するために与えられた時間周期中に確保され得る。この一例では、ＯＦＤＭ記号４０２は、そのようなデータを送信するために利用され得る。他のＯＦＤＭ記号４０４は、本質的なデータ、（示されるように）コントロール・データおよび／または実質的に任意の他のデータを送信するために利用され得る。示される見本は、たとえば、時の経過とともに繰り返えされ得る。一例では、見本部は、繰り返すことができる、追加データが後続する各タイム・スロット（ｎミリ秒ごとに一度）中に広帯域パイロット・チャネルが送信されるようなｎミリ秒ごとに繰り返えされ得る。広帯域パイロット・データを送信するすべての装置が各タイム・スロット中にそのようなデータを送信する必要があるとは限らないことが認められる。むしろ、説明したように、装置は、スケジューリング要求および／または装置の活動性レベルに少なくとも部分的に基づいて伝送のための周期性を割振られ得る。
【００４０】
一例によれば、４００示された帯域幅は、たとえば与えられた周波数にまたがっている３ＧＰＰ ＬＴＥ構成中の０．５ｍｓにわたっているとすることができる。したがって、一つのＯＦＤＭ記号４０２が広帯域パイロット・データの伝送に専用である０．５ｍｓ中に送信されるｎ  のＯＦＤＭ記号４０２と４０４があり得、残るｎ−１のＯＦＤＭ記号４０４は、追加のデータ（共用データと制御データ）を送信するためのものである。十分な活動性を有する装置は、広帯域パイロット情報を送信するためにスケジュールされ得る。さらに、装置は、活動性レベルに少なくとも部分的に基づいてホッピング・パターンを割振られ得る。ホッピング・パターンは、いつどこで広帯域パイロット情報が装置によって送信されるべきか特定することができる。たとえば、一つの例では、装置は、活動性レベルに依存して、２５Ｈｚ、５０Ｈｚ、１００Ｈｚまたは２００Ｈｚにおける広帯域パイロット情報伝送を必要とすることができる。そのうえに、広帯域パイロット・チャネル４０２は、広帯域パイロット・データが１ＭＨｚリソース・ブロック中のチャネルの至る所で多重化されることを可能にすることができる。この点では、広帯域パイロット・データを送信するために２００Ｈｚ周期性を必要とする装置は、毎タイム・スロットごとに（この例では０．５ｍｓごとに）データを送信するホッピング・パターンを割振られ得る。反対に、広帯域パイロット・データを送信するために２５Ｈｚ周期性だけを必要とする装置は、第八タイム・スロットごとに（この例では４．０ｍｓごとに）データを送信するホッピング・パターンを割り当てられ得る。このように、装置は、他の割振ホッピング・パターンを評価することにより衝突および干渉を最小にするためにホッピング・パターンを割振られ得る。
【００４１】
以前に説明したように、ホッピング・パターンは各時間周期に周波数にわたってホップすることを付加的に特定することができる。たとえば、パターンは、各時間周期にまたは実質的に任意のホッピング・パターンに１ＭＨｚリソース・ブロックにわたって連続してホップすることを特定することができる。さらに、ホッピング・パターンは、ホッピング・パターンの一つ以上の循環桁送りを使用することを、また循環桁送りにわたってホップすることを特定することができる。たとえば、パターンは、第一の利用可能リソース・ブロックに始まり利用可能帯域幅の端で終わる１ＭＨｚリソース・ブロックにわたって連続してホップするように特定することができる。次のラウンドにおいては、循環桁送りは、その代りに、第二の利用可能リソース・ブロックに始まり、第一の利用可能で終わる最後の利用可能リソース・ブロックに連続してホップし、次に、第三の利用可能リソース・ブロックで始まる循環桁送りをホップし、それからそうし続けるために使用され得る。
【００４２】
たとえば、利用可能周波数は２０ＭＨｚとすることができ、ホッピング・パターンを必要としている装置は１ＭＨｚリソース・ブロックにわたってホップすることができ、タイム・スロットは、（０．５ｍｓごとに広帯域パイロット・チャネル４０２が生じるような）０．５ｍｓとすることができる。この点では、２００Ｈｚ装置は各タイム・スロット中の広帯域パイロット・チャネル４０２において広帯域パイロット情報を送信することができる。サウンディング周期は、広帯域パイロット・チャネル４０２の全帯域幅を利用するために装置が要する時間として定義され得る。この例では、装置のためのホッピング・パターンは、タイム・スロットごとに２０ＭＨｚ広帯域パイロット・チャネル４０２の各１ＭＨｚリソース・ブロックをホップすることを特定することができ、１０ｍｓのサウンディング周期を与える。したがって、タイム・スロット０では、装置はリソース・ブロック０で送信することができ、タイム・スロット１では、装置はリソース・ブロック１で送信することができ、２０まで行く。したがって、広帯域パイロット・データを送信するために全帯域幅が利用される前に、２０タイム・スロットをとることができ、それはスロット当たり０．５ｍｓで１０ｍｓである。別の例として、１００Ｈｚ装置は、２０ｍｓサウンディング周期を有することができる。広帯域パイロット・データは二つのタイム・スロット（または１ｍｓ）ごとに単に送られることを必要とするので、２０リソース・ブロックは１ｍｓごとにホップされ得、２０ｍｓサウンディング周期をもたらす。
【００４３】
さらに、パターンはホップされ得る。一例では、パターンは、第一の利用可能リソース・ブロックに始まり、帯域幅の端に到達するまで各タイム・スロットにおいて次の連続するリソース・ブロックへホップすることを特定することができる。それから、第二のパターンは、端で始まり、第一の利用可能リソース・ブロックに到達するまで反対方向に連続してホップすることを特定するにホップされ得る。前述したものの実質的に任意の組み合わせ（たとえば、すべての循環桁送りがホップされるまで連続して、それから、各タイム・スロットに循環桁送りを逆に連続してポップすること、その他）も利用され得ることが認められる。ホッピング・パターンは、衝突伝送または干渉を最小にするために特定のセルまたは基地局とすることができることが認められる。
【００４４】
図５〜６を参照すると、広帯域パイロット信号ホッピング・パターンを提供することに関連する方法論が例証されている。方法論は、説明の単純化の目的のため、一連の動作として図示され説明されるが、その方法論はその動作の順序に限定されず、いくつかの動作は、一つ以上の実施形態にしたがって、ここに図示され説明されるものとは異なる順序でおよび／または他の動作と同時に生じてもよいと理解され評価されるべきである。たとえば、当業者は、状態図中などの一連の相互関係のある状態または出来事として方法論が代替的に表わされ得たと理解し認識するであろう。さらに、すべての例証の動作が、一つ以上の実施形態にしたがう方法論を実施するために必要とされなくてもよい。
【００４５】
図５に目を向けると、無線通信ネットワーク中の装置によって利用される広帯域パイロット信号ホッピング・パターンを生成することを容易にする方法論５００が例証されている。方法論５００は、複数の装置へ／から広帯域パイロット情報および追加のデータを送信することを容易にするために帯域幅が効率的に配分されることを可能にすることができることが認められる。５０２において、活動性レベルが装置について決定され得る。以前に説明したように、活動性レベルは、装置によって通信され、装置振る舞い（またはタイプ、構成、その他）から推論され、異種の装置から情報として受信され、および同様のことがされ得る。活動性レベルは、通信スケジューリング要求にも関連することができる。５０４において、広帯域パイロット・データを送信するための周期性が装置について構成され得る。説明したように、与えられた時間周期中の帯域幅の一部は広帯域パイロット情報に専用になることができる。したがって、装置は、各時間周期に広帯域パイロット情報を送信することができ、または、前に示したように時間周期をスキップすることができる。いくつかの装置は、広帯域パイロット情報の伝送を必要とすることなく（たとえば装置があまり活動的でないところで）通信することができることが認められる。さらに、たとえば、装置のための周期性は、活動性レベルの変化にしたがってまたは他の出来事によって修正され得ることが認められる。
【００４６】
５０６において、与えられた周期性のための広帯域パイロット・データを送信することを特定するホッピング・パターンが生成され得る。ホッピング・パターンはまた、周期性にしたがって周波数にホップすることを特定することができる。上述したように、各時間周期において、広帯域パイロット信号は、異種の周波数リソース・ブロックにホップすることを特定され得る。ホッピング・パターンはまた、循環桁送りおよび／または循環桁送り内のホッピングを代替的または付加的に特定することができる。ホッピング・パターンは、上に説明したようにホッピングが特定周期性にわたって生じる実質的に任意の形式をとることができる。さらに、ホッピング・パターンは、通信の干渉を最小にするために異種の装置のための以前に生成されたホッピング・パターンに少なくとも部分的に基づくことができる。５０８において、ホッピング・パターンは割振られ装置に転送され得る。この点では、装置は、割振られたホッピング・パターンを利用することができ、広帯域パイロット情報の受信機は使用パターンを知ることができる。
【００４７】
いま図６を参照すると、広帯域パイロット信号を送信するためにホッピング・パターンを利用することを容易にする方法論６００が例証されている。６０２において、広帯域パイロット信号を送信するためのホッピング・パターンが受信される。ホッピング・パターンは上に説明したように異種の装置によって生成され得、受信装置の活動性レベルに関連することができる。６０４において、広帯域パイロット信号がホッピング・パターンにしたがって送信するために生成され得る。データは、たとえば、送波装置の存在を確実にする、装置またはそれらでの通信に関連する情報を集める、ＳＮＲまたはチャンネル品質を測定する、装置に割当てられるリソースを決定する、装置に戻して送信する一つ以上の電力コントロール信号を決定する、および／または、同様のことをするために、受信機によって利用されることが可能である実質的に任意のデータを備えることができる。
【００４８】
６０６において、生成された広帯域パイロット信号がホッピング・パターンにしたがって送信され得る。したがって、信号は、ホッピング・パターンにしたがって（たとえばＯＦＤＭ記号の一部を使用することによって）特定の時間周期のあいだ特定周波数で放送され得る。６０８において、帯域幅内の異種の一部が次のタイム・スロット（たとえば広帯域パイロット情報を送信することに専用の次のＯＦＤＭ記号中の異種のリソース・ブロック）中にホップされ得る。６１０において、第二の広帯域パイロット信号はホッピング・パターンにしたがって生成し送信することができる。この点では、広帯域パイロット信号は、期間にわたって広帯域パイロット・データを送信するために確保された帯域幅全体を利用することができる。
【００４９】
ここに説明された一つ以上のアスペクトによると、説明したように無線通信ネットワーク中の一つ以上の装置に割振るホッピング・パターンを決定することに関して推論が行なわれ得ることは認められるであろう。ここに使用されるように、用語「推論する」または「推論」は、出来事および／またはデータを介して捕らえられるような観察のセットから、システム、環境および／またはユーザーの状態を推理または推論するプロセスを一般に指す
推論は、特定のコンテキストまたはアクションを識別するために用いられ得、または、たとえば、状態に関する確率分布を生成することができる。推論は、蓋然論、すなわち、データと出来事の考察に基づいて興味のある状態に関する確率分布の計算とすることができる。推論はまた、出来事および／またはデータのセットからより高いレベルの出来事を構成するために使用される技術を指すことができる。そのような推論は、出来事が時間的隣接の中で関連させられるか否か、また出来事およびデータが一つまたはいくつかの出来事およびデータ送信装置から来るか、観察された出来事および／または記憶された出来事データのセットからの新しい出来事および／またはアクションの構築をもたらす。
【００５０】
一例によれば、上に示した一つ以上の方法は、一つ以上の装置のためのホッピング・パターンを決定することに関係する推論を行なうことを含むことができる。たとえば、ホッピング・パターンは、実際には異種の装置のためのホッピング・パターンとの干渉を最小にするようにホッピング・パターンが定義される手法など、過去の割振られたホッピング・パターンに関して成された推論に基づいて生成され得る。そのうえに、推論は、装置の活動性レベルを決定することおよび／または活動性に基づくホッピング・パターンにしたがって広帯域パイロット信号を送信するための周期性を識別することに関して成され得る。さらに、推論は、チャネルリソースを割当てることおよび／または送波装置から追加または少ない伝送電力を要請することに関して広帯域パイロット信号から成され得る。
【００５１】
図７は、一つ以上のホッピング・パターンにしたがって広帯域パイロット信号を送信することと、その伝送のための電力を制御することとを容易にする移動体装置７００の図である。移動体装置７００は、たとえば受信アンテナ（図示せず）から信号を受信し、受信信号に典型的なアクションを行ない（たとえば、フィルタリングし、増幅し、ダウンコンバートし、その他）、条件信号をディジタル化するサンプルを得る受信機７０２を備える。受信機７０２は、受信記号を復調するとともにチャネル評価のためのプロセッサ７０６にそれらを提供することができる復調器７０４を備えることができる。プロセッサ７０６は、受信機７０２によって受信された情報を分析することおよび／または送信機７１６による伝送のための情報を生成することに専用のプロセッサ、移動体装置７００の一つ以上のコンポーネントを制御するプロセッサ、および／または、受信機７０２によって受信された情報を分析もし、送信機７１６による伝送のための情報を生成もし、移動体装置７００の一つ以上のコンポーネントを制御もするプロセッサプロセッサとすることができる。
【００５２】
移動体装置７００は、プロセッサ７０６に機能的に連結され、かつ、送信されるデータ、受信データ、利用可能チャネルと関連づけられた情報、分析信号および／または干渉強度と関係づけられたデータ、割振りチャネル、電力、率または同等物と関連づけられた情報、およびチャネルを評価しチャネル経由で通信するための任意の他の好適な情報を記憶することができるメモリ７０８を付加的に備えることができるとさせた。メモリ７０８は、チャネル（たとえば、性能ベース、容量ベース、その他）を評価および／または利用することと関係づけられたプロトコルおよび／またはアルゴリズムを付加的に記憶することができる。
【００５３】
ここに説明されるデータ・ストア（たとえばメモリ７０８）は揮発性メモリまたは不揮発性メモリのいずれかとすることができ、または揮発性および不揮発性メモリの両方を含むことができることが認められるであろう。制限ではなく例証経由で、不揮発性メモリはリードオンリーメモリ（ＲＯＭ）、プログラマブルＲＯＭ（ＰＲＯＭ）、電気的プログラマブルROM（ＥＰＲＯＭ）、電気的消去可能ＰＲＯＭ（ＥＥＰＲＯＭ）またはフラッシュメモリを含むことができる。揮発性メモリはランダムアクセスメモリ（ＲＡＭ）を含むことができ、それは外部キャッシュメモリとして動作する。例証としてまた限定なく、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ ＳＤＲＡＭ）、エンハンストＳＤＲＡＭ（ＥＳＤＲＡＭ）、シンクリンク（Synchlink）ＤＲＡＭ（ＳＬＤＲＡＭ）、およびダイレクト・ラムバスＲＡＭ（ＤＲＲＡＭ）などの多くの形式で利用可能である。主題システムおよび方法のメモリ７０８は、限定されることなく、これらおよび任意の他の好適なタイプのメモリを備えるように意図されている。
【００５４】
プロセッサ７０６はさらに、たとえば、上に説明したように広帯域パイロット信号を生成し一つ以上のホッピング・パターンにしたがって送信されるようにスケジュールすることができる広帯域パイロット・スケジューラ７１０に機能的に連結されている。一例では、移動体装置７００は、それが通信している装置（たとえば基地局など）から広帯域パイロット・ホッピング・パターンを受信することができる。ホッピング・パターンは、広帯域パイロット・データをいつどこ（たとえば、与えられたタイム・スロット間隔用周波数スロット）に送るべきであるか特定することができる。タイム・スロット間隔は、一例では、スケジューリング要求および／または移動体装置７００の活動性レベルに基づいて決定され得る。パターンは、時間周期を超えて周波数にわたってホップすることを特定することができ、広帯域パイロット・スケジューラ７１０は、データの伝送を適切にスケジュールするためにこの情報を利用することができる。
【００５５】
移動体装置７００はまたさらに、たとえば基地局、別の移動体装置、その他へ信号をそれぞれ送信および変調する変調器７１４および送信機７１６を備える。プロセッサ７０６はまた、信号を送信するために送信機７１６によって利用される電力レベルを増加、減少および／または修正することができる電力コントローラ７１２に機能的に連結されている。一例によれば、移動体装置７００は、送信広帯域パイロット信号に少なくとも部分的に基づいて異種の装置から電力コントロール信号を受信することができ、電力コントローラ７１２は、受信電力コントロール信号に少なくとも部分的に基づいて伝送電力を調節することができる。プロセッサ７０６から分離されているように描写されているが、広帯域パイロット・スケジューラ７１０、電力コントローラ７１２、復調器７０４および／または変調器７１４は、プロセッサ７０６または多数のプロセッサ（図示せず）の一部とすることができることが認められる。
【００５６】
図８は、上に説明したように広帯域パイロット信号ホッピング・パターンを定義し割振ることを容易にするシステム８００の図である。システム８００は、複数の受信アンテナ８０６を介して一つ以上の移動体装置８０４から信号を受信する受信機８１０と、送信アンテナ８０８を介して一つ以上の移動体装置８０４に送信する送信機８２４とを有する基地局８０２（たとえば接続ポイント、…）を備える。受信機８１０は、受信アンテナ８０６から情報を受信することができ、受信情報を復調する復調器８１２と機能的に関係づけられている。復調記号は、図７に関して上述したプロセッサと同様とすることができるプロセッサ８１４によって分析され、それは、信号（たとえばパイロット）強度および／または干渉強度を評価することと関連づけられた情報、移動体装置８０４（または異種の基地局（図示せず））へ送信されるかそれから受信されるデータ、および／またはここに述べたさまざまなアクションおよび機能を実施することと関連づけられた任意の他の好適な情報を記憶するメモリ８１６に連結されている。プロセッサ８１４はさらに、移動体装置８０４によって送信される広帯域パイロット信号用ホッピング・パターンを生成することができるホッピング・パターン定義器８１８に連結されている。さらに、プロセッサ８１４は、希望の回数および周波数で広帯域パイロット信号を受信するために移動体装置８０４にホッピング・パターンを割振ることができる広帯域パイロット割振器８２０に連結され得る。
【００５７】
一例によれば、基地局８０２は、一つ以上の移動体装置８０４から通信を受信することができ、通信に基づいて装置８０４の活動性レベルを決定することができる。活動性レベルを使用すると、ホッピング・パターン定義器（または別のコンポーネント／プロセッサ８１４）は、広帯域パイロット・データを送信するための周期性を決定することができる。広帯域パイロット・データ（たとえば低い活動性の装置）を送信するために、すべての装置８０４が必要とされるとは限らないことが、述べたように、認められる。続いて、ホッピング・パターンは、上に説明したようにホッピング・パターン定義器８１８によって定義され得る。具体的には、パターンは、時の経過とともに周波数リソース・ブロックにわたってホップするおよび／またはパターンの循環桁送りをホップするように定義され得、たとえば、パターンは、前に生成され割振られたパターンに少なくとも部分的に基づいて定義され得る
広帯域パイロット割振器８２０は、それぞれの移動体装置８０４に広帯域パイロット・ホッピング・パターンを割振ることができる。続いて、移動体装置８０４は、基地局８０２へ広帯域パイロット・データを送信するためにパターンを利用することができ、基地局８０２は、移動体装置８０４のためのリソース割当てを決定するためにおよび／またはその電力レベルを制御するためにデータを利用することができる。さらに、プロセッサ８１４と分離されているように描写されているが、制御チャネルディバイダ８１８、制約定義器８２０、復調器８１２および／または変調器８２２は、プロセッサ８１４または多数のプロセッサ（図示せず）の一部とすることができることが認められる。
【００５８】
図９は、例示無線通信システム９００を示している。無線通信システム９００は、簡潔さのために一つの基地局９１０と１移動体装置９５０を描写している。しかしながら、システム９００は、一つよりも多くの移動体装置および／または一つよりも多くの基地局を含むことができ、ここで、追加の基地局および／または移動体装置は、以下に説明される例示基地局９１０および移動体装置９５０と実質的に類似または相違しているとすることができることが認められる。さらに、基地局９１０および／または移動体装置９５０は、それらの間の無線通信を容易にするためにここに説明されたシステム（図１〜３および７〜８）、技術／構成（図４）および／または方法（図５〜６））を使用することができることが認められる。
【００５９】
基地局９１０では、多くのデータ流れについてのトラヒックデータがデータ送信装置９１２から送信（ＴＸ）データプロセッサ９１４に提供される。一例によれば、各データ流れはそれぞれのアンテナを介して送信され得る。ＴＸデータプロセッサ９１４は、データ流れに対して選択された特定の符号化方式に基づいてトラヒックデータ流れをフォーマット、符号化およびインターリーブして符号化データを提供する。
【００６０】
各データ流れの符号化データは、直交周波数分割多重化（ＯＦＤＭ）技術を使用してパイロット・データで多重化され得る。付加的または代替的に、パイロット記号は、周波数分割多重化（ＦＤＭ）、時分割多重化（ＴＤＭ）または符号分割多重化（ＣＤＭ）され得る。パイロット・データは、一般に既知の手法で処理される既知のデータパターンであり、チャネル応答を評価するために移動体装置９５０において使用され得る。各データ流れの多重化パイロットおよび符号化データは、そのデータ流れに対して選択された特定の変調方式（たとえば２進位相偏移変調（ＢＰＳＫ）、直交位相偏移変調（ＱＰＳＫ）、Ｍ−位相偏移変調（Ｍ−ＰＳＫ）、Ｍ−直交振幅変調（Ｍ−ＱＡＭ）、その他）に基づいて変調（たとえば記号マップ化）されて変調記号を提供することができる。各データ流れのデータ率、符号化および変調は、プロセッサ９３０によって実施または提供される命令によって決定され得る。
【００６１】
データ流れの変調記号はＴＸ ＭＩＭＯプロセッサ９２０に提供され得、それは（たとえばＯＦＤＭの）変調記号をさらに処理することができる。ＴＸ ＭＩＭＯプロセッサ９２０はそれから、ＮＴ変調記号流れをＮＴ送信機（ＴＭＴＲ）９２２ａないし９２２ｔに提供する。さまざまな実施形態では、ＴＸ ＭＩＭＯプロセッサ９２０は、データ流れの記号と、そこから記号が送信されるアンテナとにビーム形成重みを適用する。
【００６２】
各送信機９２２は、それぞれの記号流れを受信および処理して一つ以上のアナログ信号を提供し、さらにアナログ信号を調整（たとえば増幅、フィルタリングおよびアップコンバート）してＭＩＭＯチャネル上の伝送に好適な変調信号を提供する。さらに、送信機９２２ａないし９２２ｔからのＮＴ変調信号はそれぞれＮＴアンテナ９２４ａないし９２４ｔから送信される。
【００６３】
移動体装置９５０では、送信変調信号はＮＲアンテナ９５２ａないし９５２ｒによって受信され、各アンテナ９５２からの受信信号はそれぞれの受信機（ＲＣＶＲ）９５４ａないし９５４ｒに提供される。各受信機９５４はそれぞれの信号を調整（たとえばフィルタリング、増幅およびダウンコンバート）してサンプルを提供し、さらにサンプルを処理して対応「受信」記号流れを提供する。
【００６４】
ＲＸデータプロセッサ９６０はＮＲ受信記号流れをＮＲ受信機９５４から受信および特定の受信機処理技術に基づいて処理してＮＴ「検波」記号流れを提供することができる。ＲＸデータプロセッサ９６０は各検波記号流れを復調、ディインタリーブおよび復号してデータ流れについてのトラヒックデータを回復することができる。ＲＸデータプロセッサ９６０による処理は、基地局９１０においてＴＸ ＭＩＭＯプロセッサ９２０およびＴＸデータプロセッサ９１４によって実施されたものに補足的である。
【００６５】
プロセッサ９７０は、上に論じたように、どの前符号化マトリックスを利用するかを周期的に決めることができる。さらに、プロセッサ９７０は、マトリックス・インデックス部分とランク値部分とを備えている逆方向リンクメッセージを公式化することができる。
【００６６】
逆方向リンクメッセージは、通信リンクおよび／または受信データ流れに関するさまざまなタイプの情報を備えることができる。逆方向リンクメッセージは、データ送信装置９３６から多くのデータ流れについてのトラヒックデータを受信もするＴＸデータプロセッサ９３８によって処理され、変調器９８０によって変調され、送信機９５４ａないし９５４ｒによって調整され、基地局９１０へ戻して送信され得る。
【００６７】
基地局９１０では、移動体装置９５０からの変調信号は、アンテナ９２４によって受信され、受信機９２２によって調整され、復調器９４０によって復調され、ＲＸデータプロセッサ９４２によって処理されて移動体装置９５０によって送信された逆方向リンクメッセージを抽出する。さらに、プロセッサ９３０は、抽出メッセージを処理してビーム形成重みの決定のためにどの前符号化マトリックスを使用するか決めることができる。
【００６８】
プロセッサ９３０と９７０は、基地局９１０と移動体装置９５０における動作にそれぞれ命令（たとえば、制御、調和、管理、その他）することができる。それぞれのプロセッサ９３０と９７０は、プログラムコードとデータを記憶するメモリ９３２と９７２と関係づけられ得る。プロセッサ９３０と９７０はまた、それぞれ、アップリンクとダウンリンクに対する周波数およびインパルス応答評価を得る計算を実施することができる。
【００６９】
ここに説明された実施形態は、ハードウェア、ソフトウェア、ファームウェア、ミドルウェア、マイクロコードまたはそれらの任意の組み合わせで実施することができることが理解される。ハードウェア実施の場合には、プロセッシングユニットは、一つ以上の特定用途向け集積回路（ＡＳＩＣ）、ディジタルシグナルプロセッサ（ＤＳＰ）、ディジタル信号プロセッシング装置（ＤＳＰＤ）、プログラマブル論理装置（ＰＬＤ）、フィールドプログラマブルゲートアレー（ＦＰＧＡ）、プロセッサ、コントローラ、マイクロ・コントローラ、マイクロプロセッサ、ここに説明された機能を実施するように設計された他の電子ユニット、またはそれらの組み合わせの中に提供され得る。
【００７０】
実施形態がソフトウェア、ファームウェア、ミドルウェアまたはマイクロコード、プログラムコードまたはコードセグメントで提供されるとき、それらは、記憶コンポーネントなどの機械リーダブル媒体に記憶され得る。コードセグメントは、手順、機能、サブプログラム、プログラム、ルーチン、サブルーチン、モジュール、ソフトウェアパッケージ、クラス、または、命令、データ構造またはプログラム文の任意の組み合わせを表わすことができる。コードセグメントは、情報、データ、引数、パラメータまたは記憶内容を引き渡すおよび／または受信することにより、別のコードセグメントまたはハードウェア回路に連結することができる。情報、引数、パラメータ、データ、その他は、メモリ共有、メッセージ引き渡し、トークンパッシング、ネットワーク伝送、その他を含む任意の好適な手段を使用して引き渡され、回送され、または送信され得る。
【００７１】
ソフトウェア実施の場合には、ここに説明された技術は、ここに説明された機能を実施するモジュール（たとえば手順、機能など）で提供され得る。ソフトウェア・コードは、メモリユニットに記憶され、プロセッサによって実行され得る。メモリユニットは、プロセッサ内にまたはプロセッサ外に提供され得、その場合には、この技術分野で知られているさまざまな手段を介してプロセッサに通信可能に連結され得る。
【００７２】
図１０に関連して、広帯域パイロット信号ホッピング・パターンを作り出し、そのパターンを装置に割振るシステム１０００が例証されている。たとえば、システム１０００は、基地局、移動体装置、その他の中に少なくとも部分的に存在することができる。システム１０００は機能ブロックを含むように表わされ、それらは、プロセッサ、ソフトウェアまたはそれらの組み合わせ（たとえばファームウェア）によって提供される機能を表わす機能ブロックとすることができることが認められる。システム１０００は、論理積（conjunction）で動作することができる電気コンポーネントの論理グルーピング１００２を含む。たとえば、論理グルーピング１００２は、広帯域パイロット信号を通信することに専用の帯域幅の一部を決定するための電気コンポーネントを含むことができる１００４。たとえば、帯域幅は、ＯＦＤＭＡシステム中などで、時の経過とともに周波数のユニットに分離され得る。この例では、記号の与えられたコレクション用のＯＦＤＭ記号は、タイム・スロットを構築し、広帯域パイロット・データを送信するために確保され得る。さらに、論理グループ化１００２は、時の経過とともに帯域幅の一部の異種の周波数リソース・ブロックにホップすることを特定する広帯域パイロット信号ホッピング・パターンを生成するための電気コンポーネントを備えることができる１００６。たとえば、与えられた時間周期のあいだ、ホッピング・パターンは、専用広帯域パイロット信号帯域幅の異種の部分を利用することを特定することができる。一例では、帯域幅の一部は、ループまたは実質的に任意の他のパターン中などで、連続してホップされ得る。別の例では、帯域幅の一部はホップされ得、生成パターンの循環桁送りもまたホップされ得る。さらに、論理グルーピング１００２は、装置の活動性レベルに少なくとも部分的に基づいて装置に広帯域パイロット信号ホッピング・パターンを割振るための電気コンポーネントを備えることができる１００８。したがって、ホッピング・パターンは、広帯域パイロット信号を送信するための特定の周期性を有することができ、増大されたスケジューリングを必要とする装置は、装置の活動性レベルにしたがって少ないスケジューリングを必要とするものよりも大きな周期性を備えたホッピング・パターンが割振られ得る。そのうえに、システム１０００は、電気コンポーネント１００４、１００６および１００８と関係づけられた機能を実行するための命令を保持するメモリ１０１０を含むことができる。メモリ１０１０の外側にあるように示されているが、電気コンポーネント１００４、１００６および１００８の一つ以上がメモリ１０１０の中に存在することができることが理解される。
【００７３】
図１１に目を向けると、無線通信ネットワーク中でホッピング・パターンにしたがって広帯域パイロット信号を通信するシステム１１００が例証されている。システム１１００は、たとえば、基地局、移動体装置、その他の中に存在することができる。描写されるように、システム１１００は、プロセッサ、ソフトウェアまたはそれらの組み合わせ（たとえばファームウェア）によって提供される機能を表わすことができる機能ブロックを含む。システム１１００は、ホッピング・パターンにしたがって広帯域パイロット信号を通信することを容易にする電気コンポーネントの論理グルーピング１１０２を含む。論理グルーピング１１０２は、広帯域パイロット信号ホッピング・パターンを受信するための電気コンポーネントを含むことができる１１０４。広帯域パイロット信号ホッピング・パターンは、たとえば、基地局または他の装置によって割振られ得る。さらに、ホッピング・パターンは、活動性レベルに基づいて割振られ得、たとえば、ホッピング・パターンは、活動性レベルにしたがって広帯域パイロット信号を送信するための周期性を有することができる。さらに、論理グルーピング１１０２は、広帯域パイロット信号を生成するための電気コンポーネントを含むことができる１１０６。信号は、割当周波数にわたって変調される、シングル・ビット構造、その他などの、任意の形式の送信データと実質的にすることができる。さらに、論理グルーピング１１０２は、受信広帯域パイロット信号ホッピング・パターンにしたがって時の経過とともに広帯域パイロット信号を送信するための電気コンポーネントを備えることができる１１０８。したがって、与えられた時間周期中に、前の時間周期に利用されたものとは異なる周波数の一部が利用され得る。これは、時の経過とともに広帯域パイロット・データを送信するために専用の帯域幅の全部分の利用を提供する。そのうえに、システム１１００は、電気コンポーネント１１０４、１１０６および１１０８と関係づけられた機能を実行するための命令を保持するメモリ１１１０を含むことができる。メモリ１１１０の外側にあるように示されているが、電気コンポーネント１１０４、１１０６および１１０８がメモリ１１１０の中に存在することができることが理解される。
【００７４】
上に説明されたことは、一つ以上の実施形態の例を含む。もちろん、前述の実施形態を説明する目的でコンポーネントまたは方法論のすべての想像できる組み合わせを説明することは可能でないが、通常の当業者の一人ならば、さまざまな実施形態の多くのさらなる組み合わせおよび置換が可能であることを認識するだろう。したがって、説明された実施形態は、添付の特許請求の範囲の趣旨および要旨の範囲内にあるような変更、修正および変形をすべて包含するように意図されている。さらに、用語「含む」が詳細な説明または特許請求の範囲のいずれかで使用されているかぎり、そのような用語は、請求項中で一般的な言葉として使用されるときに「備えている」が解釈されるように用語「備えている」と同様の手法で包括的であるように意図されている。
【図１】
2010518755.tif 000003
【図２】
2010518755.tif 000004
【図３】
2010518755.tif 000005
【図４】
2010518755.tif 000006
【図５】
2010518755.tif 000007
【図６】
2010518755.tif 000008
【図７】
2010518755.tif 000009
【図８】
2010518755.tif 000010
【図９】
2010518755.tif 000011
【図１０】
2010518755.tif 000012
【図１１】
2010518755.tif 000013
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
無線通信ネットワークに広帯域パイロット信号ホッピング・パターンを定義するための方法であって、
広帯域パイロット・データを送信するための利用可能帯域幅の一部を確保することと、
装置のための構成周期性にしたがって帯域幅の前記確保一部の一つ以上の周波数リソース・ブロックにわたってホップすることを特定する前記装置のための広帯域パイロット信号ホッピング・パターンを生成することと、ここで前記周期性は前記装置の活動性レベルに少なくとも部分的に基づいて構成されており、
前記装置に前記広帯域パイロット信号ホッピング・パターンを割振ることとを備えている方法。
【請求項２】
前記装置に割振られた前記ホッピング・パターンにしたがって前記装置から広帯域パイロット信号を受信することをさらに備えている請求項１の方法。
【請求項３】
前記受信広帯域パイロット信号に少なくとも部分的に基づいて前記装置のための通信リソースをスケジュールすることをさらに備えている請求項２の方法。
【請求項４】
前記受信広帯域パイロット信号に少なくとも部分的に基づいて前記装置への伝送のための電力コントロール信号を生成することをさらに備えている請求項２の方法。
【請求項５】
前記広帯域パイロット信号ホッピング・パターンは、前記装置のために構成された前記周期性にしたがって帯域幅の前記確保一部の前記周波数リソース・ブロックのすべてに実質的にわたってホップすることを特定する請求項１の方法。
【請求項６】
前記広帯域パイロット信号ホッピング・パターンは、前記周波数リソース・ブロックのすべてに実質的にわたって連続してホップすることを特定する請求項５の方法。
【請求項７】
前記広帯域パイロット信号ホッピング・パターンは、前記ホッピング・パターンの循環桁送りにわたってホップすることを特定する請求項５の方法。
【請求項８】
前記広帯域パイロット信号ホッピング・パターンは、以前に生成されたホッピング・パターンに少なくとも部分的に基づいて生成される請求項１の方法。
【請求項９】
前記ホッピング・パターンは、異種の基地局によって割振られたホッピング・パターンから変化する請求項１の方法。
【請求項１０】
無線通信装置であって、
広帯域パイロット信号を送信するために確保された帯域幅の一部の複数の周波数リソース・ブロックにわたって時間でホップする装置に広帯域パイロット信号ホッピング・パターンを割振るように構成されている少なくとも一つのプロセッサと、ここで前記広帯域パイロット信号ホッピング・パターンは前記装置のための構成周期性に基づいて定義され、前記周期性は前記装置の活動性レベルに少なくとも部分的に基づいて構成されており、
前記少なくとも一つのプロセッサに連結されたメモリとを備えている無線通信装置。
【請求項１１】
前記少なくとも一つのプロセッサは、前記広帯域パイロット信号ホッピング・パターンにしたがって前記装置によって送られた広帯域パイロット信号を復号するようにさらに構成されている請求項１０の無線通信装置。
【請求項１２】
前記少なくとも一つのプロセッサは、前記広帯域パイロット信号に少なくとも部分的に基づいて前記装置に割当てられたリソースまたは前記装置に送られた電力信号を調節するようにさらに構成されている請求項１１の無線通信装置。
【請求項１３】
前記広帯域パイロット信号ホッピング・パターンは、前記周波数リソース・ブロックにわたって繰り返し連続してホップすることを特定する請求項１０の無線通信装置。
【請求項１４】
前記広帯域パイロット信号ホッピング・パターンは、前記広帯域パイロット信号ホッピング・パターンの循環桁送りにわたって繰り返しホップすることを特定する請求項１０の無線通信装置。
【請求項１５】
前記広帯域パイロット信号ホッピング・パターンは、干渉を最小にするために以前に生成された広帯域パイロット信号ホッピング・パターンに基づいて作り出される請求項１０の無線通信装置。
【請求項１６】
前記帯域幅は、広帯域パイロット信号に専用の複数のタイム・スロット内に記号を有する一つ以上のＯＦＤＭ記号に分離され、前記広帯域パイロット信号ホッピング・パターンは、各タイム・スロット内の前記記号の周波数リソース・ブロックにわたってホップする請求項１０の無線通信装置。
【請求項１７】
広帯域パイロット信号伝送用ホッピング・パターンを作り出す無線通信装置であって、
広帯域パイロット信号を通信することに専用の帯域幅の一部を決定するための手段と、
時の経過とともに前記帯域幅の一部の異種の周波数リソース・ブロックにホップすることを特定する広帯域パイロット信号ホッピング・パターンを生成するための手段と、
装置の活動性レベルに少なくとも部分的に基づいて前記装置に前記広帯域パイロット信号ホッピング・パターンを割振るための手段とを備えている無線通信装置。
【請求項１８】
前記広帯域パイロット信号ホッピング・パターンにしたがって受信された一つ以上の広帯域パイロット信号に基づいて前記装置に送信する電力コントロール信号を定義するための手段をさらに備えている請求項１７の無線通信装置。
【請求項１９】
前記広帯域パイロット信号ホッピング・パターンにしたがって受信された一つ以上の広帯域パイロット信号に基づいて前記装置にリソースをスケジュールするための手段をさらに備えている請求項１７の無線通信装置。
【請求項２０】
前記広帯域パイロット信号ホッピング・パターンは、前記周波数リソース・ブロックにわたって連続して繰り返しホップすることを特定する請求項１７の無線通信装置。
【請求項２１】
前記装置の前記活動性レベルに少なくとも部分的に基づいて前記装置のための周期性を構成するための手段をさらに備えており、前記ホッピング・パターンは前記周期性に従って前記広帯域パイロット信号を送信することを特定する請求項１７の無線通信装置。
【請求項２２】
前記広帯域パイロット信号ホッピング・パターンは前記広帯域パイロット信号ホッピング・パターンの循環桁送りにわたって繰り返しホップすることを特定する請求項１７の無線通信装置。
【請求項２３】
コンピュータープログラム製品であって、
少なくとも一つのコンピュータに、広帯域パイロット・データを送信するための利用可能帯域幅の一部を確保させるためのコードと、
前記少なくとも一つのコンピュータに、装置のための構成周期性による帯域幅の前記確保一部の一つ以上の周波数リソース・ブロックにわたってホップすることを特定する装置のための広帯域パイロット信号ホッピング・パターンを生成させるためのコードと、ここで前記周期性は前記装置の活動性レベルに少なくとも部分的に基づいて構成されており、
前記少なくとも一つのコンピュータに、前記装置に前記ホッピング・パターンを割振らせるためのコードとを備えているコンピュータリーダブル媒体を備えているコンピュータープログラム製品。
【請求項２４】
前記広帯域パイロット信号ホッピング・パターンは、前記ホッピング・パターンの循環桁送りにわたってホップすることを特定する請求項２３のコンピュータープログラム製品。
【請求項２５】
無線通信装置であって、
広帯域パイロット信号を通信することに専用の帯域幅の一部を決定し、
時の経過とともに前記帯域幅の一部の異種の周波数リソース・ブロックへホップすることを特定する広帯域パイロット信号ホッピング・パターンを生成し、
装置の活動性レベルに少なくとも部分的に基づいて前記装置に広帯域パイロット信号ホッピング・パターンを割振るように構成されたプロセッサと、
プロセッサに連結されたメモリとを備えている無線通信装置。
【請求項２６】
広帯域パイロット信号を通信するための方法であって、
広帯域パイロット信号のために確保された帯域幅の一部の第一の周波数リソース・ブロックに広帯域パイロット・データを送信することと、
広帯域パイロット信号ホッピング・パターンにしたがって帯域幅の異種の一部中の広帯域パイロット信号のために確保された帯域幅の一部の第二の周波数リソース・ブロックにホップすることと、ここで前記広帯域パイロット信号ホッピング・パターンは前記装置のための構成周期性に基づいて定義され、前記周期性は前記装置の活動性レベルに少なくとも部分的に基づいて構成されており、
前記第二の周波数リソース・ブロック中の広帯域パイロット・データを送信することとを備えている方法。
【請求項２７】
基地局から前記広帯域パイロット・データ・ホッピング・パターンを受信することをさらに備えており、前記広帯域パイロット・データ・ホッピング・パターンは、異種の基地局から以前に受信されたホッピング・パターンと異なる請求項２６の方法。
【請求項２８】
前記第二の周波数リソース・ブロックは前記第一の周波数リソース・ブロックに隣接している請求項２６の方法。
【請求項２９】
前記広帯域パイロット・データ・ホッピング・パターンにしたがって時の経過とともに前記帯域幅の一部中の追加の周波数リソース・ブロックにホップすることをさらに備えている請求項２６の方法。
【請求項３０】
いったん前記周波数リソース・ブロックのすべが実質的にポップされたならば、前記広帯域パイロット・データ・ホッピング・パターンの循環桁送りにホップすることをさらに備えている請求項２９の方法。
【請求項３１】
前記送信広帯域パイロット・データに少なくとも部分的に基づいて電力コントロール信号を受信することをさらに備えていている請求項２６の方法。
【請求項３２】
無線通信装置であって、
広帯域パイロット信号を送信するために確保された帯域幅の一部にわたって広帯域パイロット信号を送信するためにホッピング・パターンにしたがって時の経過とともに複数の周波数リソース・ブロック間でホップするように構成された少なくとも一つのプロセッサと、ここで前記ホッピング・パターンは前記無線通信装置の活動性レベルに少なくとも部分的に基づいた周期性を有しており、
前記少なくとも一つのプロセッサに連結されたメモリとを備えている無線通信装置。
【請求項３３】
前記ホッピング・パターンは、パターンの複数の循環桁送りにわたってホップすることを特定する請求項３２の無線通信装置。
【請求項３４】
前記プロセッサは、前記広帯域パイロット信号に基づいて受信された電力コントロール信号に少なくとも部分的に基づいて次の伝送のための電力を調節するようにさらに構成された請求項３２の無線通信装置。
【請求項３５】
広帯域パイロット信号を送信するための無線通信装置であって、
広帯域パイロット信号ホッピング・パターンを受信するための手段と、
広帯域パイロット信号を生成するための手段と、
前記受信広帯域パイロット信号ホッピング・パターンにしたがって時の経過とともに前記広帯域パイロット信号を送信するための手段とを備えているおり、ここで前記受信広帯域パイロット信号ホッピング・パターンは前記無線通信装置の活動性レベルに少なくとも部分的に基づいた周期性を有している無線通信装置。
【請求項３６】
前記広帯域パイロット信号ホッピング・パターンは、広帯域パイロット信号のために確保された帯域幅の一部のすべての周波数リソース・ブロックに実質的にわたってホップすることを特定する請求項３５の無線通信装置。
【請求項３７】
前記広帯域パイロット信号ホッピング・パターンは、前記周波数リソース・ブロックのすべてに実質的にわたって連続してホップすることを特定する請求項３６の無線通信装置。
【請求項３８】
前記広帯域パイロット信号ホッピング・パターンは、前記広帯域パイロット信号ホッピング・パターンの循環桁送りにわたってホップすることを特定する請求項３５の無線通信装置。
【請求項３９】
前記広帯域パイロット信号に応じて受信された電力コントロール信号に少なくとも部分的に基づいて次の伝送のための電力をコントロールするための手段をさらに備えている請求項３５の無線通信装置。
【請求項４０】
コンピュータープログラム製品であって、
少なくとも一つのコンピュータに、請求項２６ないし３１のいずれか一つの前記ステップを実行させるためのコードを備えているコンピュータリーダブル媒体を備えているコンピュータープログラム製品。
【請求項４１】
無線通信装置であって、
広帯域パイロット信号ホッピング・パターンを受信し、
広帯域パイロット信号を生成し、
受信広帯域パイロット信号ホッピング・パターンにしたがって時の経過とともに広帯域パイロット信号を送信するように構成されたプロセッサと、ここで前記受信広帯域パイロット信号ホッピング・パターンは前記無線通信装置の活動性レベルに少なくとも部分的に基づいた周期性を有しており、
プロセッサに連結されたメモリとを備えている無線通信装置。
【国際調査報告】
2010518755.tif 000014
2010518755.tif 000015
2010518755.tif 000016